(57)【要約】【課題】リングの取り付け作業が容易で、強度も優れた釣り針並びにその製造方法を提供する。【解決手段】焼き入れ前の釣り針３のループ５部分の端部を広げておき、その広げた部分の隙間５ａから打ち抜き成型によって形成したリング６をループ５部分内に挿入する。次に、広げておいたループ５部分の隙間５ａを加圧して閉じる。その後、リング６を取り付けた釣り針３の焼き入れを行う。焼き入れ前の柔軟な釣り針３にリング６を取り付けるので、ループ５の曲げ加工が簡単に行える。リング３が継ぎ目のない部材であるため、従来のような溶接が不要となり、強度も向上する。【選択図】図１
2014161271.tif 000002
【特許請求の範囲】
【請求項１】
焼き入れ前の釣り針のループ部分の端部を広げておき、その広げた部分の隙間から打ち抜き成型によって形成したリングをループ部分内に挿入し、
広げておいたループ部分の隙間を加圧して閉じ、
リングを取り付けた釣り針の焼き入れを行うことを特徴とする釣り針の製造方法。
【請求項２】
焼き入れ前の釣り針のループ部分の端部を広げておき、その状態で焼き入れを行った後、
広げた部分の隙間から打ち抜き成型によって形成したリングをループ部分内に挿入し、
更に、焼き入れ後の釣り針を変形させることのできる圧力により、隙間の部分を閉じることで、焼き入れした釣り針に継ぎ目のないリングを取り付けることを特徴とする釣り針の製造方法。
【請求項３】
焼き入れされた釣り針の軸端にループが形成され、そのループに打ち抜き加工により形成された継ぎ目のないリングがループの隙間部分から挿入され、ループの隙間が加圧加工により閉じており、リングがループから外れないように取り付けられていることを特徴とする釣り針。
【請求項４】
１本の軸の先端に針先が形成されたシングルフックであることを特徴とする請求項３に記載の釣り針。
【発明の詳細な説明】
【技術分野】
【０００１】
本発明は、主としてルアーのフックとして使用する釣り針に関する。
【背景技術】
【０００２】
マグロ、シイラなどの大型魚の釣り方として、ルアーを使用することが注目されている。このルアー釣りでは、従来は、３本のフックを有するルアーが使用されていた。しかし、ルアー釣りでは、キャッチ・アンド・リリースが求められることから、魚体に傷を付けることが多いトリプルフックは好ましくない。そのため、最近では、シングルフックと呼ばれる１本針の釣り針を使用したルアー釣りが推奨されている。
【０００３】
シングルフックの釣り針をルアーに取り付ける場合、図３に示すように、ルアー本体１にＵ字型の金具２を埋め込み、この金具２に釣り針３の軸４を連結する。すなわち、軸４の端部に「eye」と呼ばれるループ５を一体に形成し、このループ５にリング６を取り付け、このリング６とルアーの金具２をスプリットリング７によって連結する。この場合、金具２とループ５をスプリットリング７で直接連結すると、釣り針の刃先がルアー本体の外側に正確に向かないので、ルアー本体１に釣り針３を連結する場合にリング６は不可欠である。
【０００４】
また、大型魚を対象とする釣り針はその軸の太さが２〜４ｍｍ程度になるため、小さなスプリットリング７を直接ループ５に接続することは難しいため、ループ５にそれよりも細いリング６を取り付け、そのリング６に対してスプリットリング７を連結することが一般的である。
【０００５】
このリングとしては、従来では、継ぎ目６ａを持ったものが使用され、その継ぎ目６ａ広げてリング６をループ５内に通した後、ペンチなどの工具で継ぎ目６ａを閉じ、更に、継ぎ目を溶接していた。
【先行技術文献】
【特許文献】
【０００６】
【特許文献１】特開平０９−２４８０９４号公報
【特許文献２】特開平１１−１５５４２１号公報
【発明の概要】
【発明が解決しようとする課題】
【０００７】
しかしながら、小型のリング６を継ぎ目６ａの部分で広げたり、閉じたり、更には溶接を行うことは手間が掛かる。しかも、釣り針は、耐食性を要求されることからリング６の材質もステンレスであり、溶接作業が難しい。この種の問題は、ルアー釣りのシングルフックに限らず、軸単にループ部を持ち、その部分にリングを装着した釣り針全般に言えることである。
【０００８】
本発明の目的は、リングの取り付け作業が容易で、強度も優れた釣り針並びにその製造方法を提供することにある。
【課題を解決するための手段】
【０００９】
前記の目的を達成するために、本発明の釣り針の製造方法は、次のような工程を有することを特徴とする。
（１）焼き入れ前の釣り針のループ部分の端部を広げておき、その広げた部分の隙間から打ち抜き成型によって形成したリングをループ部分内に挿入する。
（２）広げておいたループ部分の隙間を加圧して閉じる。
（３）リングを取り付けた釣り針の焼き入れを行う。
【００１０】
本発明の他の態様は、焼き入れ前の釣り針のループ部分の端部を広げておき、その状態で焼き入れを行った後、広げた部分の隙間から打ち抜き成型によって形成したリングをループ部分内に挿入し、更に、焼き入れ後の釣り針を変形させることのできる圧力により、隙間の部分を閉じることで、焼き入れした釣り針に継ぎ目のないリングを取り付けることを特徴とする。
【００１１】
前記のような方法によって製造した釣り針も、本発明の一態様である。
【発明の効果】
【００１２】
本発明によれば、継ぎ目のないリングを加工の簡単な焼き入れ前の釣り針に取り付けることが可能になり、しかも、製造時にリングの溶接作業が不要となる。特に、本発明によれば、焼き入れをした硬質の釣り針のループ部分に、打ち抜きによる継ぎ目のないリングを取り付けることができるので、釣り針とリングとの連結強度が各段に向上する。
【００１３】
焼き入れ前の釣り針に打ち抜きリングを嵌め込んだ場合には、比較的柔らかい釣り針を加工するだけで良いので、作業が簡単である。特に、釣り針が太いものであっても、ループの隙間を簡単に狭めることができる。
【００１４】
焼き入れ前の釣り針のループに隙間を作っておき、焼き入れ後にリングを嵌めてから隙間を閉じる方法では、ループに隙間を作る作業が容易である。焼き入れ後に、リングを装着してからループの隙間を閉じる作業は、焼き入れ前に隙間を閉じる方法に比較すると強い力が要求されるが、作業自体は１回の加圧作業で済み、製造は容易である。
【００１５】
このような方法によって製造された釣り針は、釣り針自体は焼き入れが済んでいるので、その強度も高い上に、リングに溶接部分がなくその強度も高い利点がある。
【図面の簡単な説明】
【００１６】
【図１】第１実施形態の製造方法を示す斜視図。
【図２】第２実施形態の製造方法を示す斜視図。
【図３】従来の製造方法を示す斜視図。
【発明を実施するための形態】
【００１７】
本発明の実施形態を図１及び図２に従って説明する。図１及び図２において、図３の従来技術と同一の部分については、同一の符号を付す。
【００１８】
（１）第１実施形態
本実施形態の釣り針の製造方法は、まず、図１（ａ）に示すように、焼き入れ前の釣り針３のループ５の端部を広げて、隙間５ａを作成しておく。この場合、焼き入れ前の釣り針３は、素材が比較的柔軟なため、針先の加工、隙間５ａを持ったループ５の曲げ加工は容易に行うことができる。この場合、本実施形態では、ループ５を形成する方向は、軸４に対する針先の曲げ方向に対して、直角になっている。
【００１９】
次に、図１（ｂ）に示すように、広げた部分の隙間５ａからリング６をループ５内に挿入する。本実施形態において、リング６は、１〜２ｍｍ程度のステンレスの板材を打ち抜き加工することによって形成する。そのため、リング６には、継ぎ目がなく、従来の溶接リングに比較して、その強度が各段に優れている。リング６の打ち抜き時には、リング６の断面が円形（楕円形でも可）となるように、打ち抜き部が湾曲した金型を使用し、しかも、一旦打ち抜いたリング６を裏返して、再度プレスする。これにより、リング６は、打ち抜きバリがなく、表面が円滑になっている。
【００２０】
ループ５内にリング６を挿入した後は、ハンマーその他の工具やプレス機によって加圧することにより、隙間５ａを閉じ、リング６がループ５から外れないようにする。この作業は、釣り針３が焼き入れ前で柔軟なため、軽い力で行うことができ、手作業でも容易に実施できる。
【００２１】
その後、リング６を取り付けた状態で、釣り針３の焼き入れを行う。焼き入れは、釣り針の太さや大きさなどによって異なるが、例えば、８００℃前後である。焼き入れを行うことで、使用に耐える強度を有する釣り針３が完成する。この場合、釣り針３に取り付けたリング３も焼き入れ温度に加熱されるが、その程度の温度では、打ち抜いたステンレス製のリングの強度が損なわれることはない。
【００２２】
以上のように、本実施形態によれば、焼き入れ前の柔軟な釣り針３にリング６を取り付けるので、ループ５の曲げ加工が簡単に行える。また、リング３が継ぎ目のない部材であるため、従来のような溶接が不要となり、強度も向上する。
【００２３】
（２）第２実施形態
本実施形態では、図２（ａ）のように、焼き入れ前の釣り針３に、隙間５ａを有するループ５を形成しておく。その状態で、釣り針３のみの焼き入れ加工を行う。次に、図２（ｃ）のように、第１実施形態と同様にして作成した打ち抜きリング６を隙間５ａからループ５内に挿入する。その状態で、焼き入れ後の釣り針３が変形するような大きな加圧力をループ５部分加えることで、隙間５ａを閉じ、リング６がループ５から外れないようにする。
【００２４】
この第２実施形態においても、継ぎ目のないリング６を釣り針３に取り付けることができる。しかも、従来の溶接リングに比較して、溶接作業が不要となり、リングの強度が向上すると共に、製作作業も簡単になる。
【００２５】
（３）他の実施形態
本発明は前記のような実施形態に限定されるものではない。例えば、トリプルフックやダブルフックの釣り針のループにリングを取り付ける場合にも使用できる。針先に対するループ５の方向も、図示のように直角のもの以外に、ループ５の曲げ方向と針先の曲げ方向が同じでも良い。ルアー本体１に取り付ける針の数も、図示の２本に限らず、１本、あるいは３本以上でも良い。
【符号の説明】
【００２６】
１…ルアー本体
２…金具
３…釣り針
４…軸
５…ループ
５ａ…隙間
６…リング
６ａ…継ぎ目
７…スプリットリング
【図１】
2014161271.tif 000003
【図２】
2014161271.tif 000004
【図３】
2014161271.tif 000005